(57)【要約】【課題】道路脇等に設置される防音壁において、防音パネルを枠体に保持する押縁の落下を防止することができる押え金具を提供する。【解決手段】防音壁１に設けられた防音板３の防音パネル４は、その周縁が横枠押縁６１及び縦板押縁６２からなる押縁６を介して額縁状の枠体５に保持されている。防音板３のコーナー部に略Ｌ字形の押え金具１０を位置付けて、押え金具１０のうち左右方向に延びる押当て横板部１１を押縁６の横枠押縁６１に取り付けるとともに、上下方向に延びる押当て縦板部１２を枠体５の縦枠５２に取り付ける。【選択図】図３
2015124576.tif 000002
【特許請求の範囲】
【請求項１】
一定間隔を空けて設けられた複数の支柱間に防音板が設置されてなる防音壁における該防音板に用いられ、該防音板は額縁状の枠体内に防音パネルが配置され、該防音パネルの上下縁部が上記枠体と横枠押縁とで挟み込まれて保持され、該防音パネルの左右縁部が上記枠体と縦枠押縁とで挟み込まれて保持されてなり、該横枠押縁及び該縦枠押縁を保持する押え金具であって、
上記防音板の一角に、上記横枠押縁と上記縦枠押縁とに跨るように取り付けられており、
上記横枠押縁に押し当てられるとともに、上記横枠押縁を上記防音パネルの方向に押し当てて保持する押当て横板部と、
上記縦枠押縁に押し当てられるとともに、上記縦枠押縁を上記防音パネルの方向に押し当てて保持する押当て縦板部と、
上記横枠押縁及び上記縦枠押縁の少なくとも一方に取り付けられる押縁取付部と、
上記枠体に取り付けられる枠体取付部とを一体に備えることを特徴とする押え金具。
【請求項２】
請求項１において、
上記押当て横板部には、上記横枠押縁のうち上記防音パネルと平行に拡がる面に押し当てられる第１横面部と、
上記横枠押縁のうち防音パネルの面の中心側を向いた面に押し当てられる第２横面部とが一体に形成され、
上記押当て縦板部には、上記縦枠押縁のうち上記防音パネルと平行に拡がる面に押し当てられる第１縦面部と、
上記縦枠押縁のうち防音パネルの面の中心側を向いた面に押し当てられる第２縦面部とが一体に形成されていることを特徴とする押え金具。
【請求項３】
請求項１または２において、
上記押え金具は、支柱を挟んで隣り合うように上記防音板に取り付けられ、
隣り合う該押え金具同士が連結手段で連結されていることを特徴とする押え金具。
【請求項４】
請求項１から３のいずれか１つにおいて、
上記押当て横板部と上記押当て縦板部との接続部分には、補強部が一体に形成されていることを特徴とする押え金具。
【請求項５】
請求項１から４のいずれか１つにおいて、
上記押縁取付部は、上記押当て横板部に一体に形成されて、上記横枠押縁に固定され、
上記枠体取付部は、上記押当て縦板部に一体に形成されて、枠体の縦辺部に固定されることを特徴とする押え金具。
【発明の詳細な説明】
【技術分野】
【０００１】
本発明は、車両走行による騒音対策のために高速道路等の道路脇等に設けられる防音壁において、一定間隔を空けて立設された支柱間に設けられる防音板の枠体と防音パネルとの間に介在する押縁が落下しないように設けられる押縁用押え金具に関するものである。
【背景技術】
【０００２】
従来より、道路を走行する自動車等からの騒音が、道路周辺の住宅等に伝わるのを防止するために、道路脇や中央分離帯等に防音壁を張りめぐらせることが行われている。そして、この防音壁は、道路脇に一定間隔を空けて立設された支柱間に防音板を設けてなり、当該防音板は、矩形状の防音パネルと、それを取り囲む枠体とからなるものが一般的である。そして、防音パネルが枠体から外れて落下しないように、様々な手段が講じられている（例えば特許文献１参照）。
【０００３】
特許文献１では、薄板（防音パネル）の周縁を枠体と押縁とにより挟み込んで、薄板が外れないように保持している。また、この押縁は、ボルトで枠体に取り付けられている。
【先行技術文献】
【特許文献】
【０００４】
【特許文献１】特開平９−８８０１６号公報（特に段落００１４、第３頁、図３）
【発明の概要】
【発明が解決しようとする課題】
【０００５】
ところで、防音壁は、長期にわたって屋外に設置されるものであるため、耐久性の向上が強く求められている。
【０００６】
しかし、上記従来の特許文献１によると、押縁は枠体にボルトで取り付けられているだけであり、振動や風等により防音壁が揺れを繰り返すことでボルトが緩んだり、錆や腐食等によって押縁やボルトが劣化すると、押縁が外れて落下するおそれがある。さらに、押縁が外れると、薄板（防音パネル）のがたつきや落下等が懸念される。
【０００７】
本発明はかかる点に鑑みてなされたものであり、その目的とするところは、押縁の落下を防止するための押縁用押え金具を提供することにある。
【課題を解決するための手段】
【０００８】
上記の目的を達成するために、この発明では、押縁の落下を防止するための押縁用押え金具において、該押え金具を押縁に固定するとともに枠体に固定するようにした。
【０００９】
具体的には、第１の発明では、額縁状の枠体内に防音パネルが配置され、該防音パネルの上下縁部は横枠押縁を介して上記枠体に保持され、該防音パネルの左右縁部は縦枠押縁を介して上記枠体に保持された防音板が、一定間隔を空けて設けられた支柱間に設置されてなる防音壁において、上記防音板の一角に、上記横枠押縁と上記縦枠押縁とに跨るように取り付けられた押え金具が前提である。そして、上記横枠押縁に押し当てられる押当て横板部と、上記縦枠押縁に押し当てられる押当て縦板部と、上記横枠押縁及び上記縦枠押縁の少なくとも一方に取り付けられる押縁取付部と、上記枠体に取り付けられる枠体取付部とを一体に備えることを特徴とする。
【００１０】
第２の発明では、第１の発明において、上記押当て横板部には、上記横枠押縁のうち上記防音パネルと平行に延びる面に押し当てられる第１横面部と、上記横枠押縁のうち平面視で防音パネルの中心側を向いた面に押し当てられる第２横面部とが一体に形成され、上記押当て縦板部には、上記縦枠押縁のうち上記防音パネルと平行に延びる面に押し当てられる第１縦面部と、上記縦枠押縁のうち平面視で防音パネルの中心側を向いた面に押し当てられる第２縦面部とが一体に形成されていることを特徴とする。
【００１１】
第３の発明では、第１または第２の発明において、上記押え金具は、支柱を挟んで隣り合うように上記防音板に取り付けられ、隣り合う該押え金具同士が連結手段で連結されていることを特徴とする。
【００１２】
第４の発明では、第１ないし第３のいずれか１つの発明において、上記押当て横板部と上記押当て縦板部との接続部分には、補強部が一体に形成されていることを特徴とする。
【００１３】
第５の発明では、第１ないし第４のいずれか１つの発明において、上記押縁取付部は、上記押当て横板部に一体に形成されて、上記横枠押縁に固定され、上記枠体取付部は、上記押当て縦板部に一体に形成されて、枠体の縦辺部に固定されることを特徴とする。
【発明の効果】
【００１４】
以上説明したように、第１の発明によると、押縁用押え金具は、押縁取付部が押縁に取り付けられるとともに、枠体取付部が枠体に取り付けられているので、振動や劣化等によって押縁が枠体から外れて落下することを防止できる。
【００１５】
第２の発明によると、横枠押縁に第１横面部及び第２横面部が押し当てられ、縦枠押縁に第１縦面部及び第２縦面部が押し当てられるため、押縁をしっかりと保持することができ、押縁の落下をさらに確実に防止できる。
【００１６】
第３の発明によると、仮に、一方の押縁用押え金具が外れた場合であっても、連結手段によって他方の押え金具に連結されているため、押え金具の落下を防止することができる。
【００１７】
第４の発明によると、押縁用押え金具の強度が向上するので、押え金具の変形を抑制することができる。
【００１８】
第５の発明によると、押縁用押え金具は、横枠押縁と枠体の縦辺部とに固定される、すなわち横方向と縦方向において固定されるので、取付の安定性向上に有用である。
【図面の簡単な説明】
【００１９】
【図１】図１は、本発明の実施形態１にかかる押縁用押え金具を適用した防音壁を道路側から見た平面図である。
【図２】図２は、本発明の実施形態１にかかる押縁用押え金具の斜視図である。
【図３】図３は、図１の一点鎖線で囲んだＡ部の部分拡大斜視図である。
【図４】図４は、図１のＢ−Ｂ線断面図である。
【図５】図５は、図１のＣ−Ｃ線断面図である。
【図６】図６は、本発明の実施形態２にかかる押縁用押え金具の斜視図である。
【図７】図７は、本発明の実施形態２にかかる押縁用押え金具を適用した防音壁を道路側から見た平面図である。
【発明を実施するための形態】
【００２０】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２１】
（実施形態１）
防音壁の構成について図１、図４及び図５に基づいて説明する。
【００２２】
図１に示すように、１は高速道路等の道路脇に設置される防音壁である。防音壁１は、一定間隔を空けて立設された支柱２の間に、矩形状の防音板３を上下方向に複数枚並設して構成される。図４に示すように、支柱２はＨ形鋼からなり、支柱２の凹部には防音板３の両側部が係合している。防音板３の両側部は、一般的に知られているように、バネ板材８を介して支柱２の凹部に保持されている。バネ板材８は、既存のもの（例えば、特開２００４−１９０３６９、特開２０１２−２０４９、特開２００８−１９０２２０、特開２００５−３０７６３２等）が使用され、ここでは詳細な説明は省略する。
【００２３】
図１、図４及び図５に示すように、防音板３は、透光性を有する防音パネル４と、該防音パネル４を取り囲む枠体５とを備えている。さらに、図４及び図５に示すように、枠体５にはボルトＢ１及びＢ２によって押縁６が取り付けられ、当該押縁６と枠体５とにより防音パネル４の周縁を挟み込んで保持している。
【００２４】
図４及び図５に示すように、枠体５は、耐食性に優れるステンレス鋼等を用いた中空材からなり、左右方向に延びる横枠５１及び上下方向に延びる縦枠５２とを枠組みして額縁状に構成されている。
【００２５】
図４及び図５に示すように、押縁６は、ステンレス鋼等を用いた中空材からなり、左右方向に延びる横枠押縁６１及び上下方向に延びる縦枠押縁６２とで構成されている。図５に示すように、押縁６は、枠体５に防音パネル４を押し付けるように設けられる。図４及び図５に示すように、横枠押縁６１は、防音パネル４と枠体５とにボルトＢ１を連通して枠体５の横枠５１に固定され、縦枠押縁６２は、ボルトＢ２で枠体５の縦枠５２に固定されている。なお、押縁６の枠体５への固定構造はこの構造に限られるものではなく、例えば、押縁６の横枠押縁６１は、防音パネル４を介さずに枠体５の横枠５１に固定してもよい。
【００２６】
図１に示すように、防音板３の各々コーナー部には、押縁６の横枠押縁６１及び縦枠押縁６２に跨るように、本発明にかかる押縁用押え金具１０（以下、押え金具１０と称す。）が設けられている。なお、以下の説明においては、図１の紙面上における防音板３の左上コーナー部に設けられる押え金具１０について説明する。防音板３の右上コーナー部に設けられる押え金具１０は、左上コーナー部に設けられる押え金具１０と左右対称の形状をなしており、説明は省略する。また、各々押え金具１０は、防音板３の左上及び右下コーナー部において共用でき、右上及び左下コーナー部において共用できる。
【００２７】
次に、図２に基づいて、押え金具１０の構造を詳細に説明する。なお、以下において、防音パネル４の平面視で中心に向かう方向（図２の紙面上における右下方向）を内側、中心から離れる方向（図２の紙面上における左上方向）を外側とし、防音壁１を道路側から見た手前方向（図２の紙面上における左下方向）を手前側、その反対方向（図２の紙面上における右上方向）を奥側とする。
【００２８】
図２に示すように、押え金具１０は、例えばステンレス鋼等の金属からなる板状部材を曲げ加工して形成されている。
【００２９】
押え金具１０は、左右方向に延びて押縁６の横枠押縁６１に当接する（押し当てられる）押当て横板部１１と、上下方向に延びて縦枠押縁６２及び枠体５の縦枠５２に当接する（押し当てられる）押当て縦板部１２とを備え、平面視略Ｌ字形に一体的に形成されている。また、押当て横板部１１及び押当て縦板部１２との接続部分は相対的に幅広に形成され、当該接続部分を補強する補強部１３となっている。
【００３０】
押当て横板部１１は、第１横面部１４と、該第１横面部１４の下部から奥側にＬ字形に屈曲した第２横面部１５とを有する。第１横面部１４には、押え金具１０を押縁６の横枠押縁６１に固定するときにボルトＢ３を挿通する押縁取付孔１４ａが左右方向に２か所形成されている。なお、押縁取付孔１４ａの位置や数はこれに限られるものではない。詳細は後述するが、第１横面部１４は押縁取付部として押縁６の横枠押縁に６１に取り付けられ、第１横面部１４と第２横面部１５とで横枠押縁６１を保持する。
【００３１】
一方、押当て縦板部１２は、第１縦面部１６と、該第１縦面部１６の一方の側辺から奥側にＬ字形に屈曲した第２縦面部１７と、第１縦面部１６の他方の側辺から手前側にＬ字形に屈曲した枠体取付部１８と、さらに該枠体取付部１８の側辺からＬ字形に屈曲した枠体当接面部１９とを有する。枠体取付部１８には、押え金具１０を枠体５の縦枠５２に固定するときにボルトＢ４を挿通する枠体取付孔１８ａが上下方向に３か所形成されている。なお、枠体取付孔１８ａの位置や数はこれに限られるものではない。詳細は後述するが、枠体取付部１８が枠体５の縦枠５２に取り付けられ、第１縦面部１６と第２縦面部１７とで押縁６の縦枠押縁６２を保持する。
【００３２】
次に、当該押え金具１０を防音板３に取り付けた状態について、図３ないし図５に基づいて説明する。
【００３３】
図３に示すように、防音板３のコーナー部にＬ字形に形成された押え金具１０のコーナー部が沿うように取り付ける。具体的には、押え金具１０の押当て横板部１１の第１横面部１４が、横枠押縁６１のうち手前側を向いた面（以下、手前面６１ａと称す。）に沿い、第２横面部１５が、横枠押縁６１のうち内側を向いた面（以下、内側面６１ｂと称す。）に沿うように位置付ける。それとともに、押え金具１０の押当て縦板部１２の第１縦面部１６が、縦枠押縁６２のうち手前側を向いた面（以下、手前面６２ａと称す。）に沿い、第２縦面部１７が、縦枠押縁６２のうち内側を向いた面（以下、内側面６２ｂと称す。）に沿うように位置付ける。そうすると、押当て縦板部１２の枠体取付部１８が、枠体５の縦枠５２のうち内側を向いた面（以下、内側面５２ａ）に沿い、枠体当接面部１９が、縦枠５２のうち手前側を向いた面（以下、手前面５２ｂ）に沿うこととなる。
【００３４】
この状態で、押当て横板部１１の第１横面部１４の押縁取付孔１４ａにボルトＢ３を挿通して締付ける。このことにより、横枠押縁６１の手前面６１ａ及び内側面６１ｂに押当て横板部１１の第１横面部１４及び第２横面部１５が押し当てられた状態、すなわち横枠押縁６１が第１横面部１４及び第２横面部１５で保持された状態で押さえ金具１０が横枠押縁６１に取り付けられる。
【００３５】
一方、押当て縦板部１２の枠体取付部１８の枠体取付孔１８ａにボルトＢ４を挿通して締付ける。このことにより、縦枠５２の内側面５２ａ及び手前面５２ｂに枠体取付部１８及び枠体当接面部１９が押し当てられた状態で押え金具１０が縦枠５２に取り付けられる。このとき、押当て縦板部１２の第１縦面部１６は縦枠押縁６２の手前面６２ａに押し当てられ、第２縦面部１７は縦枠押縁６２の内側面６２ｂに押し当てられた状態、すなわち縦枠押縁６２が第１縦面部１６及び第２縦面部１７で保持された状態となっている。
【００３６】
このように、横枠押縁６１の手前及び内側方向（すなわち、横枠押縁６１が外れる方向）への動きは押え金具１０の第１横面部１４及び第２横面部１５で規制され、かつ縦枠押縁６２の手前及び内側方向（すなわち、縦枠押縁６２が外れる方向）への動きは押え金具１０の第１縦面部１６及び第２縦面部１７で規制された状態で、押え金具１０が枠体５の縦枠５２に取り付けられる。枠体５の縦枠５２は支柱２に保持されているため、押え金具１０はしっかりと防音板３に固定されて押縁６を保持することができる。
【００３７】
また、押え金具１０の防音板３への取付箇所は、互いに異なる方向に延び、かつ交差する第１横面部１４及び縦枠取付部１８に設けられているため、取付の安定性をさらに向上させることができる。
【００３８】
さらに、相対的に負荷がかかりやすい押当て横板部１１と押当て縦板部１２との接続部分が補強部１３によって補強されているので、押え金具１０の強度を向上させることができる。
【００３９】
以上説明したように、押さえ金具１０は、押縁６に押し当てられた状態で枠体５に取り付けられるため、押縁６を枠体５に固定するボルトＢ１、Ｂ２が劣化しても押縁６が外れることなく保持される。また、押え金具１０の折り曲げ箇所を変えることによって、サイズの異なる防音板にも適用でき、汎用性に優れている。
【００４０】
特に、押え金具１０は、すでに施工済みの防音壁に取り付けることができるので、既存の防音壁の補強・補修対策として有用である。
（実施形態２）
次に、実施形態２について、図６及び図７に基づいて説明する。なお、実施形態２では、上記実施形態１と異なる部分のみ説明し、共通部分の説明は省略する。押え金具１０１の押当て縦板部１２１には、枠体取付部１８１の側辺から外側に延びる枠体当接面部１９１が一体に形成されている。また、枠体取付部１８１の側辺上部から手前側に突出して延びる連結部２０１が一体に形成されている。連結部２０１には、連結孔２０１ａが形成されている。詳細は後述するが、この連結孔２０１ａに挿通可能なワイヤ７、該ワイヤ７の端部に螺合可能なナットＮ及び連結部２０１とで連結手段を構成している。
【００４１】
図８に示すように、支柱２を挟んで隣り合う押え金具１０１，１０１の各々連結孔２０１ａ，２０１ａにワイヤ７を挿通して、ワイヤ７の各々端部にナットＮ，Ｎを螺合させる。なお、ナットＮは、ワイヤ７が連結孔２０１ａから抜けることがないように設けられるものであり、他の部材を用いて抜け止めするようにしてもよい。
【００４２】
当該実施形態２においても前述の実施形態１と同様の効果を奏するが、さらに、このように隣り合う押え金具１０１，１０１を連結することで、仮に一方の押え金具１０１が外れても落下することがなく、安全性を高めることができる。
【００４３】
（その他の実施形態）
上記各実施形態では、防音板３の各々コーナー部に押え金具１０，１０１を取り付けるようにしたが、必ずしも各々コーナー部に取り付ける必要はなく、例えば押縁６の劣化が見受けられるコーナー部のみに取り付けるようにしてもよい。
【００４４】
また、上記各実施形態では、押縁取付部を押当て横板部１１の第１横面部１４としたが、押え金具１０，１０１を押縁６に取り付けることができればよいものであり、第１横面部１４に限られるものではない。例えば第２横面部１５としてもよいが、組付性の観点からは、手前側から取り付けやすい第１横面部１４に設ける方が好ましい。また、押当て横板部１１ではなく、例えば押当て縦板部１２，１２１に押縁取付部を設けてもよい。あるいは、押当て横板部１１及び押当て縦板部１２，１２１の両方に押縁取付部を設けてもよい。
【００４５】
また、枠体５への取付は、押当て縦板部１２，１２１の枠体取付部１８，１８１に限られるものではなく、押え金具１０，１０１を枠体５に取り付けることができればよいものである。例えば枠体当接面部１９，１９１でもよいが、押縁取付部を第１横面部１４とする場合は、該第１横面部１４と交差する面を取り付けた方が安定するので枠体取付部１８，１８１とすることが好ましい。また、押当て縦板部１２，１２１ではなく、例えば押当て横板部１１を枠体５に取り付けるようにしてもよい。あるいは、押当て横板部１１及び押当て縦板部１２，１２１の両方を枠体５に取り付けるようにしてもよい。
【００４６】
なお、押え金具１０，１０１の取付安定性を向上させるために、押当て縦板部１２，１２１を押縁６に取り付ける場合は、押当て横板部１１を枠体５に取り付ける等、少なくとも異なる方向に延びる面において押縁取付部と枠体取付部とを各々設ける方が好ましい。
【００４７】
また、枠体当接面部１９，１９１を延出して、支柱２と縦枠５２との間に当該延出部分を嵌め込むようにしてもよい。あるいは、枠体当接面部１９，１９１は省略してもよい。
【００４８】
また、上記各実施形態では、補強部１３を相対的に幅広に形成することで、押当て横板部１１と押当て縦板部１２，１２１との接続部分を補強するようにしたが、この形状に限られるものではなく、例えば、板厚を厚くしたり、ビードを設けることで補強するようにしてもよい。
【００４９】
また、押え金具１０，１０１の押当て横板部１１と押当て縦板部１２，１２１とを同じ形状とすれば、防音板３の４つのコーナー部において共用することができる。
【００５０】
また、上記実施形態２では、ワイヤ７を連結孔２０１ａに挿通して隣り合う押え金具１０１，１０１を連結するようにしたが、この連結手段に限られるものではなく、例えば、ワイヤ７ではなく棒状の部材を用いたり、押え金具１０１の一部を延出させて形成し、その延出部分同士を係合させるようにしてもよい。また、押え金具１０１，１０１は、予め連結してから現場で防音板３に取り付けてもよいし、現場で連結するようにしてもよい。
【産業上の利用可能性】
【００５１】
本発明は、高速道路等の道路脇等に設けられる防音壁において、防音パネルを枠体に保持する押縁が脱落しないように、防音壁に取り付ける押え金具に好適である。
【符号の説明】
【００５２】
１  防音壁
２  支柱
３  防音板
４  防音パネル
５  枠体
５２  縦枠
６  押縁
６１  横枠押縁
６２  縦枠押縁
７  ワイヤ（連結手段）
１０，１０１  押え金具
１１  押当て横板部
１２，１２１  押当て縦板部
１３  補強部
１４  第１横面部（押縁取付部）
１５  第２横面部
１６  第１縦面部
１７  第２縦面部
１８  枠体取付部
２０１  連結部（連結手段）
【図１】
2015124576.tif 000003
【図２】
2015124576.tif 000004
【図３】
2015124576.tif 000005
【図４】
2015124576.tif 000006
【図５】
2015124576.tif 000007
【図６】
2015124576.tif 000008
【図７】
2015124576.tif 000009